(57)【要約】  多層自己接着性ゲルおよびアプリケータ。本発明は、i）少なくとも1つの溶媒（a1）、（a1）とは異なる少なくとも1つの接着促進剤（b1）、並びに（a1）および（b1）とは異なる少なくとも1つの界面活性剤（c1）を含んでなる第1自己接着性ゲル層（A）と、ii）少なくとも1つの溶媒（a2）、および（a2）とは異なる少なくとも1つの接着促進剤（b2）を含んでなり、前記第1自己接着性ゲル層（A）とは異なる第2自己接着性ゲル層（B）とを含んでなる、洗浄および／または消毒および／または脱臭および／または芳香付与のための多層自己接着性ゲルであって、多層自己接着性ゲルを基材の平坦な表面上に適用すると、（A）および（B）は共に基材の表面から離れた連続した本質的に均一な表面を有する、多層自己接着性ゲルに関する。トイレ、シンク、洗面台、浴槽、シャワーの洗浄および／または消毒および／または脱臭および／または芳香付与のための、およびシャワー、浴槽または洗面台にシャワージェルまたはシャンプーを供給するための、本発明の多層自己接着性ゲルの使用。多層自己接着性ゲルを含むアプリケータ、およびアプリケータの充填方法。【特許請求の範囲】
【請求項１】
i）少なくとも1つの溶媒（a1）、
（a1）とは異なる少なくとも1つの接着促進剤（b1）、および
（a1）および（b1）とは異なる少なくとも1つの界面活性剤（c1）を含んでなる第1自己接着性ゲル層（A）と、
ii）少なくとも1つの溶媒（a2）、
（a2）とは異なる少なくとも1つの接着促進剤（b2）、および
好ましくは、（a2）および（b2）とは異なる少なくとも1つの界面活性剤（c2）を含んでなり、前記第1自己接着性ゲル層（A）とは異なる第2自己接着性ゲル層（B）
とを含んでなる、洗浄および／または消毒および／または脱臭および／または芳香付与のための多層自己接着性ゲルであって、
多層自己接着性ゲルを基材の平坦な表面上に適用すると、（A）および（B）は共に基材の表面から離れた連続した本質的に均一な表面を有する、多層自己接着性ゲル。
【請求項２】
iii）少なくとも1つの溶媒（a3）、
（a3）とは異なる少なくとも1つの接着促進剤（b3）、および
好ましくは、（a3）および（b3）とは異なる少なくとも1つの界面活性剤（c3）を含んでなり、前記第1自己接着性ゲル層（A）および前記第2自己接着性ゲル層（B）とは異なる第3の自己接着性ゲル層（C）
をさらに含んでなる、請求項1に記載の多層自己粘着性ゲルであって、
多層自己接着性ゲルを基材の平坦な表面上に適用すると、（A）、（B）および（C）は共に基材の表面から離れた連続した本質的に均一な表面を有する、多層自己粘着性ゲル。
【請求項３】
前記少なくとも1つの接着促進剤（b1）および／または（b2）および／または（b3）が、脂肪アルコールエトキシレート、セルロース、多糖類またはその誘導体、オリゴ糖類またはその誘導体、単糖類またはその誘導体、アルギン酸塩、ジウレタン、ペクチン、オレイルアミン、アルキルジメチルアミンオキシド、ステアリン酸塩、ドデシルベンゼンスルホン酸ナトリウム、ゼラチン、デンプン、変性デンプン、寒天、アカシアゴム、イナゴマメ粉、オリゴマーおよびポリマー、ポリビニルアルコールおよびポリビニルピロリドン、またはそれらの組み合わせから独立して選択される、請求項1または2に記載の多層自己接着性ゲル。
【請求項４】
前記少なくとも1つの界面活性剤（c1）および／または（c2）および／または（c3）が、アニオン性界面活性剤、非イオン性界面活性剤、両性界面活性剤、またはそれらの組み合わせから独立して選択される、請求項1〜3のいずれか1項に記載の多層自己接着性ゲル。
【請求項５】
（A）および（B）および任意に（C）の粘度が、少なくとも15,000mPas、好ましくは少なくとも80,000mPas、より好ましくは少なくとも100,000mPas 、最も好ましくは少なくとも200,000mPasである、請求項1〜4のいずれか1項に記載の多層自己接着性ゲル。
【請求項６】
前記少なくとも1つの接着促進剤（b1）および／または（b2）および／または（b3）が、それぞれのゲルの総重量を基準にして、それぞれ1〜60重量％、好ましくは5〜50重量％、より好ましくは20〜40重量％存在する、請求項1〜5のいずれか1項に記載の多層自己接着性ゲル。
【請求項７】
前記少なくとも1つの界面活性剤（c1）および／または（c2）および／または（c3）が、それぞれのゲルの総重量を基準にして、それぞれ1〜50重量％、好ましくは5〜40重量％、より好ましくは10〜30重量％存在する、請求項1〜6のいずれか1項に記載の多層自己接着性ゲル。
【請求項８】
隣接する自己接着性ゲル層の粘度が0.1〜100,000、好ましくは1〜50,000、より好ましくは5〜10,000mPas、最も好ましくは5〜1,000mPas異なる、請求項1〜7のいずれか1項に記載の多層自己接着性ゲル。
【請求項９】
トイレ、シンク、洗面台、浴槽、シャワーの洗浄および／または消毒および／または脱臭および／または芳香付与のための、およびシャワー、浴槽または洗面台にシャワージェルまたはシャンプーを供給するための、請求項1〜8のいずれか1項に記載の多層自己接着性ゲルの使用。
【請求項１０】
請求項1〜8のいずれか1項に記載の多層自己接着性ゲルを含み、前記ゲルを放出するために設けられている第1開口部と、収容チャンバ内で移動でき、前記第1開口部を介して前記ゲルを押し出せるピストンを受け入れるために設けられている第2開口部とを有する１つの収容チャンバを含む、アプリケータ、好ましくはトイレ洗浄製品用のアプリケータであって、
収容チャンバ内に含まれる全ての自己接着層の一部、好ましくは接着層の各々の等量が、同時に第1開口部を介して収容チャンバから放出され得るように、前記多層自己接着性ゲルが前記収容チャンバ内に配置されている、アプリケータ。
【請求項１１】
前記収容チャンバは、前記第2開口部に圧力補償手段、好ましくは通気孔を有する、請求項10に記載のアプリケータ。
【請求項１２】
第1ゲルを溶融し、第1充填ステップで前記第1開口部を介して前記収容チャンバに充填し、次いで、前記ゲルが固体になって前記第1自己接着性ゲル層（A）を形成するまで前記アプリケータを水平位置にして前記ゲルを放冷または能動的に冷却し、
続いて、第2ゲルを溶融し、第2充填ステップで前記第1開口部を介して前記収容チャンバに充填し、次いで、前記ゲルが固体になって前記第2自己接着性ゲル層（B）を形成するまで前記ゲルを放冷または能動的に冷却し、
任意に、その後、第3ゲルを溶融し、第3充填ステップで前記第1開口部を介して前記収容チャンバに充填し、ただし、前記第2充填ステップの前記冷却ステップにおいて前記アプリケータは水平位置にあり、
ただし、前記充填ステップの開始から前記ピストンが前記収容チャンバ内に存在する、請求項10または11に記載のアプリケータの充填方法。
【請求項１３】
前記第1自己接着性ゲル層（A）を形成する溶融した第1ゲルと、前記第2自己接着性ゲル層（B）を形成する溶融した第2ゲルと、任意に前記第3の自己接着性ゲル層（C）を形成する溶融した第3ゲルとを、前記第2開口部を介し、ゲル供給装置のノズルを介して前記収容チャンバに同時に充填し、前記収容チャンバに充填される前記ゲルの混合を回避するために、少なくとも1つの分離要素が前記ノズルの間に存在し、前記少なくとも1つの分離要素は、前記収容チャンバが圧力補償手段まで充填されるまで前記第2開口部を介して、前記ノズルと共に前記収容チャンバから引き出される、請求項11に記載のアプリケータの充填方法。
【請求項１４】
前記収容チャンバを水平位置に設けるステップ、
前記ゲルの温度をそのゲル化点の少なくとも60℃下方にしながら、前記第1自己接着性ゲル層（A）を前記収容チャンバ内に形成する第1ゲルをポンプ輸送するステップ、および
同時に、前記第2自己接着性ゲル層（B）を形成する溶融した第2ゲルを収容チャンバ内に充填するステップ
を含む、請求項10または11に記載のアプリケータの充填方法であって、前記第2ゲルは第1ゲルとの界面で凝結する、充填方法。
【発明の詳細な説明】
【技術分野】
【０００１】
本発明は、
i）少なくとも1つの溶媒（a1）、
（a1）とは異なる少なくとも1つの接着促進剤（b1）、および
（a1）および（b1）とは異なる少なくとも1つの界面活性剤（c1）を含んでなる第1自己接着性ゲル層（A）と、
ii）少なくとも1つの溶媒（a2）、
（a2）とは異なる少なくとも1つの接着促進剤（b2）、および
好ましくは、（a2）および（b2）とは異なる少なくとも1つの界面活性剤（c2）を含んでなり、前記第1自己接着性ゲル層（A）とは異なる第2自己接着性ゲル層（B）
とを含んでなる、洗浄および／または消毒および／または脱臭および／または芳香付与に適した多層自己接着性ゲルであって、
多層自己接着性ゲルを基材の平坦な表面上に適用すると、（A）および（B）は共に基材の表面から離れた連続した本質的に均一な表面を有する、多層自己接着性ゲルに関する。
【０００２】
トイレ、シンク、洗面台、浴槽、シャワーの洗浄および／または消毒および／または脱臭および／または芳香付与のための、およびシャワー、浴槽または洗面台にシャワージェルまたはシャンプーを供給するための、本発明の多層自己接着性ゲルの使用。
【０００３】
さらに、本発明は、本発明の多層自己接着性ゲルを含み、前記ゲルを放出するために設けられている第1開口部と、前記収容チャンバ内で移動でき、前記第1開口部を介して前記ゲルを押し出せるピストンを受け入れるために設けられている第2開口部とを有する１つの収容チャンバを含む、アプリケータ、好ましくはトイレ洗浄製品用のアプリケータであって、
収容チャンバ内に含まれる全ての自己接着層の一部、好ましくは接着層の各々の等量が、同時に第1開口部を介して収容チャンバから放出され得るように、前記多層自己接着性ゲルが前記収容チャンバ内に配置されている、アプリケータに関する。
【０００４】
好ましくは、本発明のアプリケータは、本発明の多層自己接着性ゲルを得るために使用される。
【０００５】
さらに、本発明は、本発明のアプリケータを充填する方法に関する。
第1ゲルを溶融し、第1充填ステップで前記第1開口部を介して前記収容チャンバに充填し、次いで、前記ゲルが固体になって前記第1自己接着性ゲル層（A）を形成するまで前記アプリケータを水平位置にして前記ゲルを放冷または能動的に冷却し、
続いて、第2ゲルを溶融し、第2充填ステップで前記第1開口部を介して前記収容チャンバに充填し、次いで、前記ゲルが固体になって前記第2自己接着性ゲル層（B）を形成するまで前記ゲルを放冷または能動的に冷却し、
任意に、その後、第3ゲルを溶融し、第3充填ステップで前記第1開口部を介して前記収容チャンバに充填し、ただし、前記第2充填ステップの前記冷却ステップにおいて前記アプリケータは水平位置にあり、
ただし、前記充填ステップの開始から前記ピストンが前記収容チャンバ内に存在する、
本発明のアプリケータの充填方法。
【０００６】
前記第1自己接着性ゲル層（A）を形成する溶融した第1ゲルと、前記第2自己接着性ゲル層（B）を形成する溶融した第2ゲルと、任意に前記第3の自己接着性ゲル層（C）を形成する溶融した第3ゲルとを、前記第2開口部を介し、ゲル供給装置のノズルを介して前記収容チャンバに同時に充填し、前記収容チャンバに充填される前記ゲルの混合を回避するために、少なくとも1つの分離要素が前記ノズルの間に存在し、前記少なくとも1つの分離要素は、前記収容チャンバが圧力補償手段まで充填されるまで前記第2開口部を介して、前記ノズルと共に前記収容チャンバから引き出される、本発明のアプリケータの充填方法。
【０００７】
前記収容チャンバを水平位置に設けるステップ、
前記ゲルの温度をそのゲル化点の少なくとも60℃下方にしながら、前記第1自己接着性ゲル層（A）を前記収容チャンバ内に形成する第1ゲルをポンプ輸送するステップ、および
同時に、前記第2自己接着性ゲル層（B）を形成する溶融した第2ゲルを収容チャンバ内に充填するステップ
を含む、本発明のアプリケータの充填方法であって、前記第2ゲルは第1ゲルとの界面で凝結する、充填方法。
【０００８】
さらに好ましい実施態様は、従属請求項に記載されている。
【背景技術】
【０００９】
長い間、衛生剤は、トイレの洗浄、消毒および芳香付与に使用されている。一般に、3つのタイプのトイレ洗浄剤があり、固体ブロック（当該技術分野においてリムブロックとも称する）は、トイレに使用されるときハンガーを必要とする。第2のタイプは、トイレ内に配置される送達システムを必要とする液体洗浄剤であり、第3のタイプは、ゲル材料に基づいており、しばしば自己接着性があり、トイレの壁に直接配置できる。衛生剤が完全に溶解した後に消費者がそれを取り除くためにトイレの空のハンガーに触れる必要がないので、ゲルベースの洗浄剤は、近年ますます一般的かつ経済的に重要になってきている。従って、このような自己接着性ゲルおよびアプリケータは、当技術分野において一般に知られている。
【００１０】
例えば、欧州特許出願公開第1 325 103 A号および欧州特許出願公開第1 086 199 A号は、衛生目的物に直接接着する特定の衛生剤を開示している。しかしながら、これらの出願は、単一の均質な組成物のみを開示している。国際特許出願公開第2007/008531A号は、制御された用量の流動可能な接着剤材料を表面に適用するための特定の装置を開示しているが、この装置には1種類の均質なゲルしか用いられていない。
【００１１】
単一のゲルによって得ることができない製品全体の特性が、異なるゲルの使用により確保される場合、例えばトイレで使用できる多層自己接着性ゲルが必要とされる。例えば、トイレを洗浄および／または消毒するために使用される1つのゲルを有する一方、他のゲルは空気を長期的に芳香付与できる。他の利点は、（例えば、それらが1つの組成物に含まれている場合、それらはゲルを形成しないか、または望ましくない様式にゲルを変えるので）1つのゲルを介して提供することができない2つの所望の化合物を提供できることである。
【００１２】
国際特許出願公開第2013/020597A号は、同時に2つのゲルを便器に供給できるアプリケータを開示している。しかしながら、この出願の図6から分かるように、得られた生成物はかなり魅力的ではない外観を有する。さらに、2つの別個のチャンバの故に、このようなアプリケータのユーザは、同じ重量を有する2つのゲルを同時に容易に適用することが困難である。これは、最終生成物の望ましくない不均質な印象と、チャンバの1つが早期に終了する望ましくない結果か、または便器内で最終生成物の2つのゲルの異なる形状をもたらすようにチャンバの1つをユーザが再び押さなければならないかのいずれかをもたらす。このような洗浄組成物のさらなる欠点は、異なる形状に起因する異なる表面積が異なる溶解速度を招くことである。さらに、2つのチャンバの故に、ほとんど全ての場合に2つの適用されるゲルの界面は連続的ではない。従って、数回洗い流した後、2つの単一ゲルスポットがトイレに残ってしまい、これは視覚的に魅力的ではない。さらに、2つのピストンおよびチャンバが必要であり、従って、ユーザは、適用を快適ではなくする、より大きな力を必要とする。さらに、このようなアプリケータは、2つのピストンなどを有する2つのチャンバアプリケータのためにより多くの原料を必要とするので、より多くの廃棄物が生じる。
【先行技術文献】
【特許文献】
【００１３】
【特許文献１】欧州特許出願公開第1 325 103 A号
【特許文献２】欧州特許出願公開第1 086 199 A号
【特許文献３】国際特許出願公開第2007/008531A号
【特許文献４】国際特許出願公開第2013/020597A号
【発明の概要】
【課題を解決するための手段】
【００１４】
意外なことに、本発明の多層自己接着性ゲルおよびアプリケータでは、これらの欠点を克服することができることが見出された。
【発明を実施するための形態】
【００１５】
本発明の用語「ゲル」は、当業者に一般に知られているような意味を有する。好ましくは、本発明によれば、「ゲル」は、重力による25℃での印加条件下で除かれない降伏点を有する組成物であって、25℃で回転レオメーター（振動測定、1Hz、プレート−プレート、クロスハッチング）により測定された1％の貯蔵弾性率が対応する損失弾性率よりも高い値を有する組成物を意味する。用語「自己接着性」は、衛生物品に直接接着する組成物に関し、組成物はハンガーを必要とせずに衛生物品上に適用される。
【００１６】
以下において、組成物の化合物は、The Cosmetic, Toiletry, and Fragrance Association (CTFA), 1 101 17th Street, NW, Suite 300, Washington, DC 20036, USA.によって出版された国際化粧品成分（INCI）命名法〔国際化粧品成分辞典およびハンドブック−第7版（1997）〕に従って命名されたものであり得る。
【００１７】
用語「CAS」は、後続の一連の数字が、化学情報検索サービス機関（Chemical Abstracts Service）の表記であることを意味する。
【００１８】
本明細書において、用語「1つの（a）」および「1つの（an）」および「少なくとも1つの」は、用語「1以上の」と同じであり、ほぼ同じ意味で使用することができる。
【００１９】
本発明によれば、脂肪酸および脂肪アルコールまたはそれらの誘導体は、特に断りのない限り、好ましくは炭素原子数6〜22、より好ましくは炭素原子数8〜20、さらに好ましくは炭素原子数10〜18、最も好ましくは炭素原子数12〜16の、分枝状または非分枝状のそれぞれ炭素酸またはアルコール、またはそれらの誘導体として考えられる。脂肪酸は、植物由来であり、従って再生可能な資源から誘導されるので、生態学的観点から特に好ましい。さらに、Roelenのオキソ合成に従って得られるオキソアルコールまたはその誘導体が好ましく、それらは、好ましくは炭素原子数7〜19、より好ましくは炭素原子数9〜19、さらにより好ましくは炭素原子数9〜17、最も好ましくは炭素原子数11〜15を有する。
【００２０】
本発明は、2以上のゲルがそれらの組成または特性（例えば、異なる溶媒、接着促進剤、界面活性剤、香料、添加剤、または1つのみのゲル中の界面活性剤、香料、添加剤の存在、または異なる色、香り、粘度、1以上の成分の量、溶解速度、融解速度、不透明度、透過率、香り強さ、抗菌力、または清浄強度）について少なくとも1つ異ならなければならないことを意味する多層ゲルに関する。前述の例は単なる例示であり、本発明の範囲を限定するものではない。
【００２１】
以下において、ゲル（A）、（B）および任意に（C）を含んでなる多層ゲル（以下、「ゲル」とも称する）をより詳細に説明する。
【００２２】
溶媒
本発明の溶媒（a1）、（a2）および（a3）（以下、「溶媒」とも称する）は、25℃で液体である化合物である。好ましくは、（a1）および／または（a2）および／または（a3）は、水、グリコールまたはその誘導体（例えば、1,2−エチレングリコール、1,2−プロピレングリコール、1,2−ブチレングリコール、プロピレングリコール−n−ブチルエーテル、ジプロピレングリコールメチルエーテル、ジエチレングリコール、トリエチレングリコール、ポリメチレングリコール、ポリエチレングリコール）、グリセリンおよびその誘導体（例えば、グリセリントリアセテート）、ジヒドロキシ化合物（例えば、1,3−ジヒドロキシプロパン、1,3−ジヒドロキシブタン、1,4−ジヒドロキシブタン、ジヒドロキシイソブタン、ジヒドロキシペンタン、トリヒドロキシヘキサン、トリヒドロキシヘプタン）、α−ヒドロキシ酸（例えば、乳酸）、アルコール（例えば、主鎖に1〜10個の炭素原子を有するアルコール）、主鎖に1〜10個の炭素原子を有するジオール、主鎖に1〜10個の炭素原子を有するトリオール、ポリオール（例えば、オリゴ糖類、単糖類、二糖類、ソルビトール、ペンタエリスリトール）、またはそれらの混合物から独立して選択される。それらは、同じまたは異なっていてよい。
【００２３】
好ましい実施態様では、それぞれのゲル中の溶媒はそれぞれ水であり、より好ましい実施態様では、溶媒はそれぞれ水と上述の溶媒から独立して選択される追加の溶媒との混合物である。
【００２４】
好ましい実施態様では、溶媒はそれぞれ、それぞれのゲルの総重量を基準にして、5〜70重量％、より好ましくは20〜60重量％、最も好ましくは30〜55重量％で存在する。さらに好ましい実施態様では、水はそれぞれゲル中に5〜60重量％、より好ましくは10〜50重量％、最も好ましくは15〜40重量％の量で存在する。
【００２５】
接着促進剤
本発明に好適な接着促進剤（b1）、（b2）および（b3）は、以下において「接着促進剤」とも称され、当業者に知られている。好ましい実施態様では、少なくとも1つの接着促進剤（b1）および／または（b2）および／または（b3）は、脂肪アルコールエトキシレート、好ましくは上記のような脂肪アルコールエトキシレート、セルロース、多糖類またはその誘導体、オリゴ糖類またはその誘導体、単糖類またはその誘導体、アルギン酸塩、ジウレタン、ペクチン、オレイルアミン、アルキルジメチルアミンオキシド、ステアレート、ドデシルベンゼンスルホン酸ナトリウム、ゼラチン、デンプン、変性デンプン、寒天、アカシアガム、イナゴマメ粉、オリゴマーおよびポリマー、ポリビニルアルコールおよびポリビニルピロリドン、またはそれらの組み合わせから独立して選択される。
【００２６】
適当な単糖類、オリゴ糖類、多糖類およびそれらの誘導体は、例えば国際特許出願公開第2014/180579A号に開示されている。
【００２７】
適当なオリゴマーまたはポリマーは、国際特許出願公開第2014/033259A号に開示されているポリイソブテニルコハク酸に基づいてよい。さらに、好ましい実施態様では、それぞれのゲルは、国際特許出願公開第2014/033259A号に開示されているような特定の組成を有してよい。
【００２８】
適当なオリゴマーまたはポリマーはまた、欧州特許出願公開第1 318 191 A1号に開示されているようなオリゴ−またはポリエチレンオキシドおよび／またはオリゴ−および／またはポリプロピレンオキシドおよび／またはオリゴ−および／またはポリブチレンオキシドから誘導される、ポリアクリレート、アクリルコポリマーおよびブロックコポリマーを含む。
【００２９】
好ましい実施態様では、接着促進剤は、脂肪アルコールエトキシレート、ポリイソブテニルコハク酸に基づくオリゴマーまたはポリマー、多糖類またはその誘導体、オリゴ糖類またはその誘導体、単糖類またはその誘導体、およびドデシルベンゼンスルホン酸ナトリウムから独立して選択される。
【００３０】
好ましい実施態様では、接着促進剤はそれぞれ、それぞれのゲルの総重量を基準にして、1〜60重量％、より好ましくは5〜50重量％、最も好ましくは20〜40重量％存在する。
【００３１】
界面活性剤
以下で「界面活性剤」とも称する界面活性剤（c1）、（c2）および（c3）は、非イオン性、アニオン性、両性、またはカチオン性界面活性剤またはそれらの組み合わせからそれぞれ選択することができる。
【００３２】
本発明での使用に適した非イオン性界面活性剤には、好ましくは、アルコキシレート、例えば、ポリグリコールエーテル、脂肪アルコールポリグリコールエーテル、アルキルフェノールポリグリコールエーテル、末端キャップポリグリコールエーテル、混合エーテルおよびヒドロキシ混合エーテル、および脂肪酸ポリグリコールエステルが包含される。エチレンオキシド／プロピレンオキシドブロックポリマー、脂肪酸アルカノールアミドおよび脂肪酸ポリグリコールエーテルを使用してもよい。使用してもよい別の重要な種類の非イオン性界面活性剤は、ポリオール界面活性剤、特にグリコール界面活性剤、例えば、アルキルポリグリコシドおよび脂肪酸グルカミドである。アルキルポリグリコシド、特にアルキルポリグルコシド並びに特に脂肪アルコールアルコキシレート（脂肪アルコールポリグリコールエーテル）が特に好ましい。
【００３３】
非イオン性界面活性剤として使用される好ましい脂肪アルコールアルコキシレートは、最大30のアルコキシル化度を有するエチレンオキシド（EO）および／またはプロピレンオキシド（PO）でアルコキシル化された非分岐または分岐、飽和または不飽和のC8〜C22アルコール、好ましくは、30未満、好ましくは12〜28、特に20〜28、特に好ましくは25のエトキシル化度を有するエトキシル化C12〜22脂肪アルコール（例えば、25EO含有C16〜18脂肪アルコールエトキシレート）である。
【００３４】
アルキルポリグリコシドは、適当な有機化学製造法を用いて、糖およびアルコールの反応によって得ることができる界面活性剤であり、これにより調製方法に従って、モノアルキル化されたオリゴマーまたはポリマー糖の混合物が得られる。好ましいアルキルポリグリコシドは、アルコールが、特に好ましくは長鎖脂肪アルコール、或いは分岐または非分岐C8〜C18アルキル鎖を有する長鎖脂肪アルコールの混合物であり、糖のオリゴマー化度（DP）が1〜10、有利には1〜6、特に1.1〜3、最も好ましくは1.1〜1.7であるアルキルポリグルコシド、例えばC8-10アルキル−1.5−グルコシド（DPは1.5）である。
【００３５】
アミンオキシドタイプの非イオン性界面活性剤（例えば、N−ココアルキル−N,N−ジメチルアミンオキシドおよびN−獣脂−アルキル−N,N−ジヒドロキシエチルアミンオキシド）、および脂肪酸アルカノールアミドタイプの非イオン性界面活性剤もまた適している場合がある。これらの非イオン性界面活性剤の量は、以下に定義されるエトキシル化脂肪アルコールの量以下であることが好ましく、特にその半分以下であることが好ましい。
【００３６】
脂肪アルコールエトキシレートは、好ましくは、それぞれのゲルの総重量を基準にして、30重量％まで、特に好ましくは4〜20重量％、特に好ましくは7〜15重量％の量で使用される。さらなる非イオン性界面活性剤（例えば、脂肪酸モノアルカノールアミドおよび／またはアルキルポリグリコシド）は、10重量％までの量で含まれていてもよい。
【００３７】
使用することができる適当なアニオン界面活性剤は、脂肪族スルフェート（例えば、脂肪アルコールスルフェート）、脂肪アルコールスルホネート、脂肪アルコールエーテルスルフェート、ジアルキルエーテルスルフェート、モノグリセリドスルフェート、脂肪族スルホネート（例えば、アルカンスルホネート）、エーテルスルホネート、n−アルキルエーテルスルホネート、エステルスルホネート、アルキルベンゼンスルホネートおよびリグニンスルホネートである。脂肪酸シアナミド、スルホコハク酸塩、特にコハク酸のC8〜C18アルキルモノおよびジエステル、スルホスクシナメート、スルホスクシンアミド、スルホエストリド、脂肪酸イセチオネート、アシルアミノアルカンスルホネート（脂肪酸タウリド）、脂肪酸サルコシネート、エーテルカルボン酸およびアルキル（エーテル）ホスフェート、並びにα−スルホ脂肪酸塩、アシルグルタメート、モノグリセリド二硫酸塩、およびグリセリン二硫酸塩のアルキルエーテルも同様に、本発明において使用することができる。
【００３８】
脂肪アルコールスルフェートおよび／または脂肪アルコールエーテルスルフェート（特に、脂肪アルコールスルフェート）は、本発明の好ましい実施態様において使用することができる。脂肪アルコールスルフェートは、対応するアルコールに対する硫酸化反応からの生成物であるが、脂肪アルコールエーテルスルフェートは、アルコキシル化アルコールに対する硫酸化反応の生成物である。本発明において、アルコキシル化アルコールが、アルキレンオキシド、好ましくはエチレンオキシドと、アルコール、好ましくは長鎖アルコールとの反応生成物を意味することは、当業者には一般に理解される。概して、nモルのエチレンオキシドは、1モルのアルコールと反応して、反応条件に応じて、異なるエトキシル化度を有する付加生成物の複雑な混合物を生成する。アルコキシル化の別の一実施態様は、アルキレンオキシドの混合物、好ましくはエチレンオキシドとプロピレンオキシドとの混合物の使用にある。好ましい脂肪アルコールエーテルスルフェートは、1〜4個のエチレンオキシド単位（EO）、特に1〜2EO、例えば1.3EOを有する低エトキシル化脂肪アルコールの硫酸塩である。
【００３９】
アニオン性界面活性剤は、好ましくはそれらのナトリウム塩として添加されるが、他のアルカリ金属塩またはアルカリ土類金属塩から構成することもできる。これらには、例えば、マグネシウム塩、並びにアンモニウムまたはモノ−、ジ−、トリ−またはテトラアルキルアンモニウム塩が包含される。スルホン酸塩の場合には、酸の形態（例えば、ドデシルベンゼンスルホン酸）を使用することができる。
【００４０】
先に記載した界面活性剤の種類に加えて、本発明のゲルはまた、カチオン性界面活性剤および／または両性界面活性剤を含有してもよい。
【００４１】
適当な両性界面活性剤は、例えば、一般式：(RIII)(RIV)(RV)N+CH2COO-で示されるベタインを包含し、式中、RIIIは、任意にヘテロ原子またはヘテロ原子基によって中断されていてよい炭素原子数8〜25、好ましくは10〜21のアルキル基を示し、RIVおよびRVは、炭素原子数1〜3の同一または異なるアルキル基を示す。このような一般式に対応する物質としては、例えば、C10〜C18のアルキルジメチルカルボキシメチルベタインおよびC11〜C17のアルキルアミドプロピルジメチルカルボキシメチルベタインが包含される。
【００４２】
適当なカチオン性界面活性剤は、とりわけ、一般式：(RVI)(RVII)(RVIII)(RIX)N+X-で示される四級アンモニウム化合物を包含し、式中、RVI〜RIXは、4つの同一または異なるタイプ、特に、好ましくは1〜40個の炭素原子を有する、2つの長鎖アルキル基および2つの短鎖アルキル基を表し、X-はアニオン、特にハライドイオンを表す。このような一般式に対応する物質は、例えば、ジデシルジメチルアンモニウムクロライド、アルキルベンジルジデシルアンモニウムクロライドおよびそれらの混合物を包含する。
【００４３】
本発明の好ましい実施態様では、界面活性剤は、非イオン性およびアニオン性界面活性剤またはそれらの組み合わせからそれぞれ選択される。より好ましい実施態様では、界面活性剤は、非イオン性界面活性剤、最も好ましくは脂肪アルコールエトキシレートおよびアルキルポリグリコシドおよびそれらの組み合わせからそれぞれ選択される。
【００４４】
好ましい実施態様では、界面活性剤はそれぞれ、それぞれのゲルの総重量を基準にして、1〜60重量％、より好ましくは5〜50重量％、最も好ましくは20〜40重量％存在する。
【００４５】
本発明のゲルは、任意に、当該技術分野において典型的に使用される少なくとも1つの香料をさらに含有してよい。好ましい実施態様では、1つのゲルのみが少なくとも1つの香料を含有し、より好ましい実施態様では、2つのゲルが少なくとも1つの香料を含有する。
【００４６】
少なくとも1つの香料は、好ましくは、それぞれのゲルの総重量を基準にして、0.0001〜8重量％の量で、特に0.005〜5重量％の量で、特に好ましくは0.1〜2.5重量％の量で組み込まれる。
【００４７】
香料は形成される製品の美的魅力を向上させ、製品の性能だけでなく、感覚的な「典型的で紛れもない」製品を消費者に提供するために、本発明の組成物に添加される。香油および／または芳香剤を包含する香料として、（例えば、エステル、エーテル、アルデヒド、ケトン、アルコールおよび炭化水素のタイプの合成生成物である）個々の芳香付与剤化合物を使用することが可能である。エステルタイプの芳香付与剤化合物は、例えば、ベンジルアセテート、フェノキシエチルイソブチレート、p−tert−ブチルシクロヘキシルアセテート、リナリルアセテート、ジメチルベンジルカルビニルアセテート、フェニルエチルアセテート、リナリルベンゾエート、ベンジルホルメート、エチルメチルフェニルグリシネート、アリルシクロヘキシルプロピオネート、スチラリルプロピオネートおよびベンジルサリチレートである。エーテル類は、例えば、ベンジルエチルエーテルを包含する。アルデヒド類は、例えば、炭素原子数8〜18の直鎖状アルカナール、シトラール、シトロネラール、シトロネリルオキシ−アセトアルデヒド、シクラメンアルデヒド、ヒドロキシシトロネラール、リリアールおよびブルゲオナールを包含する。ケトン類は、例えば、イオノン類、α−イソメチルイオノンおよびメチルセドリルケトンを包含する。アルコール類は、アネトール、シトロネロール、オイゲノール、ゲラニオール、リナロール、フェニルエチルアルコールおよびテルピネオールを包含する。炭化水素は、主としてテルペン（例えば、リモネンおよびピネン）を包含する。しかしながら、魅力的な芳香を一緒になって生成する異なる芳香付与剤の混合物を使用することが好ましい。このような香油はまた、植物源から得られるような天然芳香物質混合物（例えば、パイン油、柑橘類油、ジャスミン油、パチュリ油、バラ油、またはイランイラン油）を含有してもよい。同様に適しているのは、ムスカテル、クラリーセージ油、カモミール油、チョウジ油、メリッサ油、ミント油、シナモン葉油、ライム花油、ジュニパーベリー油、ベチベル油、オリバナム油、ガルバナム油およびラブダナム油、並びにオレンジ花油、ネロリオール、オレンジピール油およびサンダルウッド油である。
【００４８】
本発明のゲルは、任意に、当該技術分野において典型的に使用される少なくとも1つの添加剤をさらに含有してよい。
【００４９】
本発明の添加剤は、好ましくは、独立して、充填剤、ビルダー、増粘剤、金属石鹸、酸、塩基、塩、増粘剤、抗菌剤、防腐剤、金属イオン封鎖剤、着色剤、香料、香料増強剤、充填剤、漂白剤、腐食防止剤、フラッシュ調節剤、酵素、微生物、バイオフィルム除去のための活性物質、石灰スケール阻害剤、土壌接着阻害剤およびこれらの混合物から独立して選択される。それぞれのゲルの総重量を基準にして、合計で、60重量％以下の添加剤が、それぞれのゲルに含まれるべきであり、その量は、好ましくは0.01〜60重量％、特に0.2〜15重量％である。
【００５０】
使用することができる典型的な増粘剤は、（ポリケイ酸、モンモリロナイトのような粘土鉱物、ゼオライト、シリカのような）無機増粘剤である。
【００５１】
酸
本発明のゲルは、石灰スケールおよび尿スケールに対する洗浄力を高めるために、1以上の酸および／またはその塩を含有してもよい。有機酸（例えば、ギ酸、酢酸、クエン酸、グリコール酸、乳酸、コハク酸、アジピン酸、リンゴ酸、酒石酸およびグルコン酸）並びにそれらの混合物は、本発明のための酸として特に適当である。さらに、無機酸の塩酸、硫酸、リン酸および硝酸、またはさらにはアミドスルホン酸、またはそれらの混合物も使用することもできる。酸および／またはその塩は、好ましくは、クエン酸および乳酸、それらの塩のいずれか、およびそれらの混合物からなる群から選択される。それらは、好ましくは、それぞれのゲルの総重量を基準にして、0.01〜10重量％、特に好ましくは0.2〜5重量％の量で使用される。
【００５２】
ゲルは、無機塩をさらに含んでいてもよい。このような塩には、アルカリ金属塩またはアルカリ土類金属塩、特に炭酸塩、硫酸塩、ハロゲン化物、リン酸塩およびそれらの混合物が包含される。硫酸ナトリウムおよび／または炭酸ナトリウムが好ましくは使用される。
【００５３】
塩基
さらに、種々のアルカリが本発明のゲルに含まれていてもよい。アルカリ金属およびアルカリ土類金属の水酸化物および炭酸塩（特に、炭酸ナトリウムまたは水酸化ナトリウム）の群から選択されるアルカリ性物質が、塩基として本発明の組成物に好ましく使用される。しかしながら、さらに、アンモニアおよび／または分子中に9個までの炭素原子を有するアルカノールアミン、好ましくはエタノールアミン、特にモノエタノールアミンを使用することもできる。
【００５４】
抗菌剤
消毒と衛生は、清浄化の特定の側面を表している。従って、本発明のさらなる一実施態様では、本発明のゲルは、それぞれのゲルの総重量を基準にして、好ましくは0.01〜3重量％、有利には0.02〜1重量％、特に0.05〜0.5重量％、特に好ましくは0.1〜0.3重量％、最も好ましくは0.2重量％の量で1以上の抗菌剤を含有してよい。
【００５５】
本発明の教示において、消毒、衛生、抗菌作用および抗菌剤という用語は、通常の技術的意味を有する。医療行為の最も厳しい意味での消毒とは感染性病原菌を理論的に全て死滅させることを意味するが、衛生においては、人間には通常有害ではない腐生微生物までも、可能な限り完全に排除することを意味すると理解される。ここで、消毒または衛生の程度は、使用する組成物の抗菌作用に依存し、抗菌剤の含有量の減少または使用する組成物の希釈の増加に伴って減少する。
【００５６】
本発明の好適な例示的な抗菌剤は、好ましくは、アルコール、アミン、アルデヒド、抗菌酸およびその塩、カルボン酸エステル、酸アミド、フェノール、フェノール誘導体、ジフェニル、ジフェニルアルカン、尿素誘導体、酸素および窒素のアセタールおよびホルマール、ベンズアミジン、イソチアゾリン、フタルイミド誘導体、ピリジン誘導体、抗菌性界面活性化合物、グアニジン、抗菌性両性化合物、キノリン、1,2−ジブロモ−2,4−ジシアノブタン、ヨード−2−プロピニルブチルカルバメート、ヨード、ヨードフォア、活性塩素を分離する化合物、過酸化物およびそれらの混合物からなる群から選択される。好ましい抗菌剤は、好ましくは、エタノール、n−プロパノール、i−プロパノール、1,3−ブタンジオール、フェノキシエタノール、1,2−プロピレングリコール、グリセリン、ウンデシレン酸、クエン酸、乳酸、安息香酸、サリチル酸、チモール、2−ベンジル−4−クロロフェノール、2,2'−メチレン−ビス−(6−ブロモ−4−クロロフェノール)、2,4,4'−トリクロロ−2'−ヒドロキシジフェニルエーテル、N−(4−クロロフェニル)−N−(3,4−ジクロロフェニル)尿素、N,N'−(1,10−デカンジイルジ−1−ピリジニル−4−イリデン)ビス−(1−オクタンアミン)二塩酸塩、N,N'−ビス−(4−クロロフェニル)−3,12−ジイミノ−2,4,11,13−テトラアザテトラデカンジイミドアミド、抗菌性第四級界面活性化合物、グアニジンおよびジクロロイソシアヌレートナトリウム（DCI、1,3−ジクロロ−5H−1,3,5−トリアジン−2,4,6−トリオンナトリウム塩）、およびそれらの混合物からなる群から選択される。好ましい抗菌活性界面活性第四級化合物は、アンモニウム、スルホニウム、ホスホニウム、ヨードニウム、またはアルソニウム基を含有する。さらに、香りの利点を同時に提供する抗菌活性エーテル油を使用することもできる。特に好ましい抗菌剤は、サリチル酸、第四級界面活性剤、特に塩化ベンザルコニウム、ペルオキシ化合物、特に過酸化水素、次亜塩素酸アルカリ金属、ジクロロイソシアヌル酸ナトリウムおよびそれらの混合物からなる群から選択される。上記で定義したようなカチオン性界面活性剤が本発明のゲル中に存在すべき場合、任意にさらに含有される抗菌剤は、このカチオン性界面活性剤とは異なる。
【００５７】
防腐剤
防腐剤もまた、本発明のゲル中に組み込んでもよい。本質的に、抗菌剤として上記した物質は、防腐剤としても機能し得る。
【００５８】
キレート剤
INCI用語のキレート剤は、金属イオン封鎖剤としても知られ、金属イオンを錯化および不活性化して、剤の安定化または外観に有害な作用（例えば、濁り）を防止することができる成分である。硬水中のカルシウムイオンとマグネシウムイオンは多くの成分との相溶性を有さないため、それらを錯化することは重要である。重金属（例えば、鉄または銅）のイオンの錯体形成もまた、完成した組成物の酸化分解を遅らせる。さらに、キレート剤は洗浄作用を支持する。
【００５９】
INCIに従って命名された以下の例示的なキレート剤が適当である：アミノトリメチレンホスホン酸、β−アラニン二酢酸、EDTAカルシウム二ナトリウム、クエン酸、シクロデキストリン、シクロヘキサンジアミン四酢酸、クエン酸二アンモニウム、EDTA二アンモニウム、ジエチレントリアミンペンタメチレンホスホン酸、EDTA二カリウム、ジナトリウムアザシクロヘプタンジホスホネート、EDTA二ナトリウム、ピロリン酸二ナトリウム、EDTA、エチドロン酸、ガラクタル酸、グルコン酸、グルクロン酸、HEDTA、ヒドロキシプロピルシクロデキストリン、メチルシクロデキストリン、三リン酸五カリウム、アミノトリメチレンホスホン酸五ナトリウム、エチレンジアミンテトラメチレンホスホン酸五ナトリウム、ペンテト酸五ナトリウム、三リン酸五ナトリウム、ペンテト酸、フィチン酸、クエン酸カリウム、EDTMPカリウム、グルコン酸カリウム、ポリリン酸カリウム、トリスホスホノメチルアミンオキシドカリウム、リボン酸、キトサンメチレンホスホン酸ナトリウム、クエン酸ナトリウム、ジエチレントリアミンペンタメチレンホスホン酸ナトリウム、ジヒドロキシエチルグリシン酸ナトリウム、EDTMPナトリウム、グルセプチン酸ナトリウム、グルコン酸ナトリウム、グリセレス−1ポリリン酸ナトリウム、ヘキサメタリン酸ナトリウム、メタリン酸ナトリウム、メタケイ酸ナトリウム、フィチン酸ナトリウム、ポリジメチルグリシンフェノールスルホン酸ナトリウム、トリメタリン酸ナトリウム、TEA−EDTA、TEA−ポリホスフェート、テトラヒドロキシエチルエチレンジアミン、テトラヒドロキシプロピルエチレンジアミン、エチドロン酸四カリウム、ピロリン酸四カリウム、EDTA四ナトリウム、エチドロン酸四ナトリウム、ピロリン酸四ナトリウム、EDTA三カリウム、ジカルボキシメチルアラニン酸三ナトリウム、EDTA三ナトリウム、HEDTA三ナトリウム、NTA三ナトリウムおよびリン酸三ナトリウム。
【００６０】
着色剤
本発明のトイレクリーナーブロックは、追加成分として1以上の着色剤を含有してよい。着色剤としては、水溶性および油溶性着色剤の両方を使用することができる。適当な着色剤の選択においては、存在する他の成分（例えば、漂白剤）との相溶性を考慮しなければならず、長期間の作用後でさえも添加された着色剤が実質的にトイレセラミックスを汚さないこと確実にする必要がある。着色剤は、好ましくは、それぞれのゲルの総重量を基準として、0.0001〜0.1重量％、特に0.0005〜0.05重量％、特に好ましくは0.001〜0.01重量％の量で組み込まれる。
【００６１】
ビルダー
水溶性および／または水不溶性ビルダーは、本発明のゲルにおいて任意に使用することができる。ここで、水溶性ビルダーは、硬質表面上に不溶性残渣を残す傾向が一般に少ないため、好ましい。本発明に従って存在してもよい従来のビルダーとしては、低分子量ポリカルボン酸およびその塩、ホモポリマーおよびコポリマーポリカルボン酸およびその塩、クエン酸およびその塩、炭酸塩、リン酸塩およびケイ酸塩が包含される。水不溶性ビルダーは、使用してもよいゼオライト、および上記ビルダー物質の混合物を包含する。
【００６２】
漂白剤
漂白剤もまた、本発明のゲルに含まれてもよい。適当な漂白剤としては、過酸化物、過酸および／または過硼酸塩が包含される。本発明で使用するのに特に好ましいものは、過酸化水素である。対照的に、次亜塩素酸ナトリウムは、有毒な塩素ガス蒸気の放出の故に酸性洗浄剤にはあまり適していないが、アルカリ性pHに調整された洗浄剤においては使用することができる。場合によっては、漂白剤に加えて漂白活性化剤を使用することもできる。
【００６３】
腐食防止剤
適当な腐食防止剤には、例えば、INCIに従って命名された以下の物質が包含される：シクロヘキシルアミン、リン酸二アンモニウム、シュウ酸二リチウム、ジメチルアミノメチルプロパノール、シュウ酸二カリウム、リン酸二カリウム、リン酸二ナトリウム、ピロリン酸二ナトリウム、コハク酸テトラプロペニル二ナトリウム、ヘキソキシエチルジエチルアンモニウム、リン酸塩、ニトロメタン、ケイ酸カリウム、アルミン酸ナトリウム、ヘキサメタリン酸ナトリウム、メタケイ酸ナトリウム、モリブデン酸ナトリウム、亜硝酸ナトリウム、シュウ酸ナトリウム、ケイ酸ナトリウム、ステアラミドプロピルジメチコン、ピロリン酸四カリウム、ピロリン酸四ナトリウム、トリイソプロパノールアミン。
【００６４】
フラッシュ調節剤
フラッシュ調節剤として示される物質は、主として、意図した寿命が最適化されるように使用中に剤の消費を制御するよう作用する。固体の長鎖脂肪酸（例えば、ステアリン酸）が好ましい調節剤である。また、脂肪酸エタノールアミド（例えば、ココ脂肪酸モノエタノールアミド）または固体ポリエチレングリコール（例えば、ポリスチレン標準物質を使用するGPCによって測定した数平均分子量が10,000〜50,000g／molのもの）も適当なフラッシュ調節剤である。ゲル中に存在する場合、フラッシュ調節剤は界面活性剤とは異なる。
【００６５】
酵素
ゲルはまた、酵素（例えば、プロテアーゼ、ホスファターゼ、リパーゼ、アミラーゼ、ヒドロラーゼおよび／またはセルラーゼ）を含有してもよい。酵素は、従来技術に従って確立された各形態で、それぞれのゲルに添加することができる。これには、有利には可能な限り濃縮された、無水のおよび／または安定剤を加えた酵素溶液が包含される。あるいはまた、酵素は、例えば好ましくは天然ポリマーと共に酵素溶液を噴霧乾燥または押出すことにより、またはカプセル形態（例えば、酵素が固化したゲル中に封入されているもの）に、またはコア−シェル型カプセル（酵素含有コアが水、空気および／または化学物質を通さない保護層で被覆されているもの）にカプセル化されてよい。さらなる有効成分（例えば、安定剤、乳化剤、顔料、漂白剤、または着色剤）を追加の層に適用することができる。このようなカプセルは、公知の方法（例えば、振動造粒またはロール圧縮または流動床法）によって製造される。有利には、（例えば、被覆されたポリマーフィルム形成剤を有する）これらのタイプの顆粒は、無塵であり、コーティングの結果として貯蔵安定である。
【００６６】
さらに、損傷（例えば物理的影響、酸化またはタンパク質分解による、例えば失活、変性または分解など）に対して本発明の剤に含まれる酵素を保護するために、酵素安定剤を酵素含有剤中に存在させることができる。使用する酵素にそれぞれ応じて、酵素安定剤として以下のものが適当である：ベンザミジン塩酸塩、ホウ砂、ホウ酸、ボロン酸、またはそれらの塩またはエステル、主として芳香族基を含む誘導体、例えば置換フェニルボロン酸またはその塩またはエステル、ペプチドアルデヒド（還元されたC末端を有するオルゴペプチド）、アミノアルコール（例えば、モノ−、ジ−、トリエタノールアミン、およびモノ−、ジ−、トリプロパノールアミン、およびそれらの混合物）、C12までの脂肪族カルボン酸（例えば、コハク酸）、他のジカルボン酸または上記酸の塩、末端封鎖脂肪酸アミドアルコキシレート、脂肪族低級アルコール、および主にポリオール（例えば、グリセリン、エチレングリコール、プロピレングリコール、またはソルビトール）、並びに還元剤および抗酸化剤（例えば、亜硫酸ナトリウムおよび還元糖）。さらに適当な安定剤は、先行技術から公知である。安定剤の組合せ（例えば、ポリオール、ホウ酸、および／またはホウ砂の組合せ、ホウ酸またはホウ酸塩、還元塩、およびコハク酸または他のジカルボン酸の組合せ、またはホウ酸またはホウ酸塩とポリオールまたはポリアミノ化合物および還元塩との組合せ）の使用が好ましい。
【００６７】
本発明の好ましい実施態様では、ゲルは、少なくとも15,000mPas、より好ましくは少なくとも80,000mPas、さらにより好ましくは少なくとも100,000mPas、最も好ましくは少なくとも120,000mPasの粘度を有する。さらに好ましい実施態様では、上限は、最大で25,000,000mPas、好ましくは最大で10,000,000mPas、さらにより好ましくは最大で1,000,000mPas、最も好ましくは最大で300,000mPasである。
【００６８】
好ましい実施態様では、隣接するゲル、すなわち自己接着性ゲル層は、それらの粘度が0.1〜100,000、好ましくは1〜50,000、より好ましくは5〜10,000mPas、最も好ましくは5〜1,000mPas異なる。
【００６９】
最も好ましい実施態様では、〔レオメーター：AR G2によって20℃（2cmのペレティエプレートおよび300μmのギャップ距離）で測定された〕粘度は50,000mPas〜1,200,000mPas、好ましくは80,000mPas〜1,100,000mPasである。
【００７０】
本発明のゲルの粘度は、レオメーターTexture Analyzer Discovery HR-2、コーンプレートタイプ、コーン直径40mm、角度1°、20℃でせん断速度10 1／秒で測定する、またはレオメーター：AR G2（2cmのペレティエプレートおよび300μmのギャップ距離）、20℃で測定することが好ましい。
【００７１】
好ましい実施態様では、本発明のゲルは、0.9E + 02〜1.8E + 05Pa、好ましくは1.0E + 02〜1.6E + 05Paの貯蔵弾性率G’（好ましくはレオメーター：Kinexus Ultra +、2cmペレティエプレート、ギャップ距離300μmを用いて、20℃、1Hz、0.1％歪み変形で測定された振動測定値）を有する。
【００７２】
多層ゲルが、それが適用された基材の平坦な表面から離れた連続した本質的に均一な表面を有するかどうかを判定するために、以下の方法を用いることができる。多層自己接着性ゲルを、均一なステンレス鋼プレートまたはセラミックタイルに適用する。次いで、異なるゲル間に隙間が観察されないかどうか、ゲルを目視検査する。隙間が存在しない場合、ゲルは連続的であると考えられる。続いて、ゲルを液体窒素で凍結させ、境界の幅および長さを測定し、それぞれのエッジの長さおよび幅の140％を有する（約1〜3mmの厚さを有する）均一な硬質プラスチックシートを、20％（±0.5％）が各側に突出するようにゲル上に配置する。サンプルサイズは、幅8cm、長さ10cm以下でなければならない。例えば、幅2cm、長さ4cmのゲルを測定する場合には、2.8cm×5.6cmのプラスチックプレートを使用する。プラスチックプレートは、各側、幅0.4cm、長さ0.8cm突出する。次に、プラスチックプレートの突出した下面とステンレス鋼板またはセラミックタイルとの間の垂直距離を、例えば、滑りキャリパーを用いて、4辺の各々の中央と最も外側の位置で測定する。幅と長さの2つの測定値をそれぞれ比較し、長さと幅の偏差が20％以内、好ましくは15％以内、より好ましくは10％以内である場合、表面は本質的に均一であると考えられる。
【００７３】
好ましい実施態様では、4〜8gの量の多層自己接着性ゲルを適用する。さらに好ましい実施態様では、本発明のアプリケータは、それぞれ4〜8gの多層自己接着性ゲルの1〜5部分を含むことができる。トイレに適用した後のゲルは、好ましくは、100〜200回のフラッシュ後に完全に溶解する。
【００７４】
本発明のゲルは、当該技術分野において一般に知られているように（例えば、欧州特許出願公開第1 325 103 A号、欧州特許出願公開第1 086 199号および国際特許出願公開第2014/033259 A号に開示されるように）調製される。
【００７５】
（A）と（B）および任意に（C）の例示的な組み合わせを以下の表に示す。
【表１】
2018503721.tif 000002
【００７６】
アプリケータ
また、多層自己接着性ゲル用の、特にトイレ洗浄製品用のアプリケータも、本発明において提供される。
【００７７】
アプリケータは、本発明の多層自己接着性ゲルを含み、前記ゲルを放出するために設けられている第1開口部と、前記収容チャンバ内で移動でき、前記第1開口部を介して前記ゲルを押し出せるピストンを受け入れるために設けられている第2開口部とを有する１つの収容チャンバを含み、収容チャンバ内に含まれる全ての自己接着層の一部、好ましくは接着層の各々の等量が、同時に第1開口部を介して収容チャンバから放出され得るように、前記多層自己接着性ゲルは前記収容チャンバ内に配置されている。
【００７８】
好ましい実施態様では、アプリケータの第1開口部は少なくとも1つの直線エッジを有し、より好ましい実施態様では、第1開口部は正方形形状を有する。
【００７９】
アプリケータの好ましい実施態様では、少なくとも2つ、好ましくは少なくとも3つのスペーサ要素を収容空間の第1開口部の周りに配置する。特に多層自己接着性ゲルが適用されたセラミックトイレ表面上に、アプリケータを押し付けると、第1開口部と該表面との間に隙間Aが形成され、多層自己接着性ゲルが放出時にスペーサ要素の周りで自由に流動できるよう、スペーサ要素を構成する。
【００８０】
スペーサ要素の数および配置により、スペーサ要素の周りに相応に組成物が流動できることによって、適用した多層自己接着性ゲルの意図した形状がもたらされる。アプリケータと適用面との間の本発明の構成における小さな接触面により、適用過程におけるアプリケータまたは多層自己接着性ゲルの回避できない汚染（細菌、微生物）は最小化される。
【００８１】
収容空間の第1開口部と適用面との間の隙間Aの形成、および第1開口部の周りのスペーサの配置により、表面との製品の接触面積が第1開口部からの製品の出口面積より確実に大きくなる。関連表面からアプリケータを回収する際に生じる異なったレベルの接着力により、多層自己接着性ゲルはアプリケータから確実に容易かつきれいに引きはがされる。
【００８２】
スペーサ要素は、スペーサ要素の周りを流動できるゲル状組成物の故に、その適用時に適所にのみゲル状組成物の流動を画定するので、状況に応じた適当な分注も可能となり、例えば便器内の多層自己接着性ゲルの所望の洗浄性能に応じて、より多いまたはより少ない量のゲル状組成物がユーザによって分注され得る。
【００８３】
このように、組成物が周囲を流動し得る本発明のスペーサ要素の使用により、特に、単一の分注量、特に二倍の分注量とは異なる分注量を便器に適用することが可能となる。従って、スペーサ要素の周りの流動が二倍の分注量からのみ生じるようにアプリケータを構成することも特に可能であり、その結果、ユーザは、適用されたゲル本体の幾何学的形状から、単一、二倍、または実際には複数の分注量が放出されているかどうかを識別することができる。さらに、アプリケータのこのような構成では、適用されたゲルがスペーサ要素の周りを流動し始め、従ってアプリケータ輪郭の突出部から突出し始めるときに、適用過程における複数の分注をユーザが検出することもできる。
【００８４】
射出成形型からの良好な離型性、および適用過程中の調製によって濡らすことのできる最小表面をもたらすために、スペーサ要素は、棒状、特に円筒状の構造であることが有利である。しかしながら、棒状のスペーサ要素の断面は、例えば、正方形、長方形、楕円形、三角形、十字形、または星形であってもよい。
【００８５】
一実施態様では、良好な製品の剥離および組成物の表面への十分な接着を確保するため、多層自己接着性ゲルを適用すべき表面上にアプリケータを押し付けた際に約0.5mm〜約30mm、好ましくは約2mm〜約10mmの隙間が収容空間の第1開口部と関連する表面との間に形成されるよう、スペーサ要素を構成する。
【００８６】
本発明の好ましい一実施態様では、アプリケータに嵌合可能および／または摩擦的に着脱可能にまたは非着脱可能に固定されていてよいアダプタ上に、スペーサ要素を配置する。これにより、異なる位置に配置されたスペーサ要素を提供することが可能になり、各々の場合において、適用すべき表面上に多層自己接着性ゲルの異なる形状がもたらされるので、ユーザは、例えば、好ましい形状を選択してもよい。
【００８７】
本発明のアプリケータは、多層自己接着性ゲルを表面に適用するのに適している。特に、アプリケータは、トイレ洗浄用組成物をセラミックトイレ表面に適用するのに適している。加えて、本発明のアプリケータは、表面（例えば、洗濯機のドアの内部または洗濯機の分注引き出しの分注室内など）に多層自己接着性ゲル組成物（例えば、織物洗浄剤および／または洗浄助剤など）を適用するために使用してもよい。本発明のアプリケータを用いて、例えば、食器洗い機のドアの内側、食器洗い機の分注室などに、食器洗い用組成物を適用することもまた可能である。
【００８８】
本発明のアプリケータは、以下の方法で充填することができる。
【００８９】
本発明のアプリケータを充填するための第1の方法であって、
第1ゲルを溶融し、第1充填ステップで前記第1開口部を介して前記収容チャンバに充填し、次いで、前記ゲルが固体になって前記第1自己接着性ゲル層（A）を形成するまで前記アプリケータを水平位置にして前記ゲルを放冷または能動的に冷却し、
続いて、第2ゲルを溶融し、第2充填ステップで前記第1開口部を介して前記収容チャンバに充填し、次いで、前記ゲルが固体になって前記第2自己接着性ゲル層（B）を形成するまで前記ゲルを放冷または能動的に冷却し、
任意に、その後、第3ゲルを溶融し、第3充填ステップで前記第1開口部を介して前記収容チャンバに充填し、ただし、前記第2充填ステップの前記冷却ステップにおいて前記アプリケータは水平位置にあり、
ただし、前記充填ステップの開始から前記ピストンが前記収容チャンバ内に存在する、方法。
【００９０】
本発明のアプリケータを充填するための第2の方法であって、
前記第1自己接着性ゲル層（A）を形成する溶融した第1ゲルと、前記第2自己接着性ゲル層（B）を形成する溶融した第2ゲルと、任意に前記第3の自己接着性ゲル層（C）を形成する溶融した第3ゲルとを、前記第2開口部を介し、ゲル供給装置のノズルを介して前記収容チャンバに同時に充填し、前記収容チャンバに充填される前記ゲルの混合を回避するために、少なくとも1つの分離要素が前記ノズルの間に存在し、前記少なくとも1つの分離要素は、前記収容チャンバが圧力補償手段まで充填されるまで前記第2開口部を介して、前記ノズルと共に前記収容チャンバから引き出される、方法。
【００９１】
前記収容チャンバを水平位置に設けるステップ、
前記ゲルの温度をそのゲル化点の少なくとも60℃下方にしながら、前記第1自己接着性ゲル層（A）を前記収容チャンバ内に形成する第1ゲルをポンプ輸送するステップ、および
同時に、前記第2自己接着性ゲル層（B）を形成する溶融した第2ゲルを収容チャンバ内に充填するステップ
を含む、請求項10または11に記載のアプリケータの充填方法であって、前記第2ゲルは第1ゲルとの界面で凝結する、方法。
【００９２】
第3の方法に係る好ましい実施態様では、二軸スクリュー押出機または進行キャビティポンプのような容積型ポンプを使用する。さらに好ましい実施態様では、容積型ポンプは、例えば貯蔵容器および加熱要素を介して、所望の温度を維持できなければならない。
【実施例】
【００９３】
以下の組成物において、量は重量％を意味する。
【表２】
2018503721.tif 000003
【００９４】
【表３】
2018503721.tif 000004
【００９５】
組成物1〜6をそれぞれ、本発明の第1および第2の方法に従ってアプリケータに充填した。その後、本発明の多層自己接着性ゲルをトイレに適用した。得られたゲルは均一な溶解を示し、約120回のフラッシュ後に完全に溶解した。
【国際調査報告】
2018503721.tif 000005
2018503721.tif 000006